(57)【特許請求の範囲】
【請求項１】
鉛直方向に貫通した開口が封水面の上側に設けられる筒部と、
排水を通過させながら排水中の毛髪を捕集する捕集部材本体部と、該捕集部材本体部の外縁部から該外縁部の外方向へ突出した把手と、を有する捕集部材と、
前記筒部の内側に嵌合する被嵌合部を有し、この被嵌合部が前記筒部の内側に嵌合されているとき、上から流入する排水を鉛直方向からずれた所定方向へ導くとともに、導かれた排水を通過させる位置で前記捕集部材本体部を着脱可能に取り付ける捕集部材取付部とを備え、
前記捕集部材本体部の外縁部から前記把手を上方又は斜め上方へ突出させて前記捕集部材本体部が前記捕集部材取付部に取り付けられることを特徴とする排水トラップ。
【請求項２】
前記捕集部材取付部は、排水が導かれる前記所定方向となる側面部に前記捕集部材本体部を着脱可能に取り付けるとともに、該側面部に取り付けられた前記捕集部材本体部に繋がるように前記所定方向に沿って傾斜した傾斜部が設けられ、該傾斜部上で前記捕集部材本体部の方へ排水を導くことを特徴とする請求項１に記載の排水トラップ。
【請求項３】
前記捕集部材取付部は、前記捕集部材本体部の外縁部を鉛直方向又は鉛直方向から斜めに傾いた方向へ向けて該捕集部材本体部を着脱可能に取り付けることを特徴とする請求項１又は請求項２に記載の排水トラップ。
【発明の詳細な説明】
【技術分野】
【０００１】
本発明は、排水中の毛髪を捕集する捕集部材を備える排水トラップに関する。
【背景技術】
【０００２】
浴室の排水トラップには、毛髪を主とするごみ等の異物を排水中から捕集するヘアキャッチャーが着脱可能に設けられている。
図１０は、特許文献１に記載された排水トラップを示している。なお、排水桝９０１，９０２の位置を二点鎖線で示している。
【０００３】
同図（ａ）のヘアキャッチャー９１０は、下方へ凹み底部９１３が水平面で形成された網状の凹状部９１２と、この凹状部９１２の中心から上方に突出した取っ手９１６とを有している。すなわち、凹状部９１２の外縁部９１４は、水平方向に向けて取っ手９１６を囲むように配置されている。排水桝９０１に流れ込んだ排水は、３６０°全ての方向から凹状部９１２に向けて流れ、下方Ｄ９１に向けて凹状部９１２を通過する。
同図（ｃ）のヘアキャッチャー９２０は、外縁部９２４の内側から網状の通水部９２３が下方へ略円錐形状に突出した略円錐状部９２２と、この略円錐状部の外縁部９２４から上方へ延出し先端部が水平方向Ｄ９３へ折れ曲がった取っ手９２６とを有している。すなわち、略円錐状部の外縁部９２４は水平方向に向けて配置され、取っ手９２６の水平方向Ｄ９３の長さは排水桝９０２に接触しない長さとされる。排水桝９０２に流れ込んだ排水は、３６０°全ての方向から略円錐状部９２２に向けて流れ、下方Ｄ９２に向けて略円錐状部９２２を通過する。
【特許文献１】特開２００６−２４２３号公報
【発明の開示】
【発明が解決しようとする課題】
【０００４】
図１０（ａ）のヘアキャッチャー９１０は、水平面で形成された底部９１３いっぱいに毛髪等の異物が広がり、排水流路が閉塞しやすい。また、凹状部９１２に滞留した異物を除去する際、同図（ｂ）に示すように取っ手９１６を持ってヘアキャッチャー９１０を横にしても異物が落下せず、ヘアキャッチャー９１０を逆さまにすると異物が手の上に落下して不快感が生じる。
同図（ｃ）のヘアキャッチャー９２０も、排水が３６０°全ての方向から流入するため、通水部９２３の全てに異物が付着し、排水流路が閉塞することがある。また、排水桝９０２の大きさの制限により取っ手９２６の水平方向Ｄ９３の長さが短いため、排水桝９０２からヘアキャッチャー９２０を取り出しにくく、ヘアキャッチャー９２０をひっくり返す操作をしにくい。
【０００５】
本発明は、上記課題に鑑みてなされたもので、排水トラップの捕集部材に溜まった毛髪等を不快感無く捨てることができるとともに、捕集部材のお手入れを容易にさせ、毛髪等を捨て易くすることを目的とする。
【課題を解決するための手段】
【０００６】
上記目的を達成するため、本発明の排水トラップは、鉛直方向に貫通した開口が封水面の上側に設けられる筒部と、排水を通過させながら排水中の毛髪を捕集する捕集部材本体部と、該捕集部材本体部の外縁部から該外縁部の外方向へ突出した把手と、を有する捕集部材と、前記筒部の内側に嵌合する被嵌合部を有し、この被嵌合部が前記筒部の内側に嵌合されているとき、上から流入する排水を鉛直方向からずれた所定方向へ導くとともに、導かれた排水を通過させる位置で前記捕集部材本体部を着脱可能に取り付ける捕集部材取付部とを備え、前記捕集部材本体部の外縁部から前記把手を上方又は斜め上方へ突出させて前記捕集部材本体部が前記捕集部材取付部に取り付けられることを特徴とする。
【０００７】
すなわち、把手が捕集部材本体部の外縁部から該外縁部の外方向へ突出しているので、捕集部材本体部に溜まった毛髪等が手に落下しない。また、筒部の内側に被嵌合部が嵌合した捕集部材取付部に捕集部材本体部を取り付けたときに把手が捕集部材本体部の外縁部から上方又は斜め上方へ突出した状態となるので、排水桝における水平方向の大きさの制限を受けにくくなり、把手を長くすることができる。従って、不快感無く毛髪等を捨てることができるとともに、把手が長くなることにより、捕集部材本体部を取り出し易くすることができて捕集部材のお手入れが容易になるとともに、捕集部材本体部を裏返し易くすることができて毛髪等を捨て易くすることができる。
【０００８】
各請求項に係る発明において、上記捕集部材本体部には、毛髪以外の異物も捕集するものも含まれる。また、上記捕集部材本体部には、排水を通過させる孔やスリット等を全体に有するもの、該孔や該スリット等を一部のみに有するもの、の両方が含まれる。上記捕集部材取付部には、独立した部材、封水筒等と一体化された部位、の両方が含まれる。
なお、上記捕集部材と上記捕集部材取付部とを有する排水構造の発明や、上記排水トラップを有する浴室の発明も、上述した作用、効果を奏する。
【発明の効果】
【０００９】
請求項１に係る発明によれば、排水トラップの捕集部材に溜まった毛髪等を不快感無く捨てることができるとともに、捕集部材のお手入れを容易にさせ、毛髪等を捨て易くすることが可能となる。
請求項２に係る発明では、捕集部材取付部に流入した排水が効率よく捕集部材本体部の方へ導かれるので、排水中の毛髪等をより効率よく捕集することが可能となる。
請求項３に係る発明では、捕集部材本体部が鉛直方向又は鉛直方向から斜めに傾いた方向に向いているので、捕集部材本体部の目詰まりを抑止することができる。
【発明を実施するための最良の形態】
【００１０】
（１）排水トラップの構成：
図１は本発明の一実施形態に係る浴室用の排水トラップ１を示す垂直断面図、図２は締め付けフランジ４０、封水筒５０及び取付部材２０の上面を示す平面図、図３は捕集部材１０及び取付部材２０の外観を示す分解斜視図、図４は捕集部材１０を取り付けていない取付部材２０及び捕集部材１０を取り付けた取付部材２０の垂直断面図、図５は捕集部材本体部１２の外縁部の外方向を説明するための図である。なお、図３の二点鎖線で囲まれた部分に捕集部材本体部１２の背面を示し、図５（ｂ）の二点鎖線で囲まれた部分に捕集部材本体部１１２の左側面を示している。
浴室は、浴槽の外側に洗い場が設けられ、この洗い場の床材８２の一部が凹んで排水桝８３が形成されている。この排水桝８３は、下側の開口部に向かって略水平方向に内側へ延出したフランジ部８３ａを有し、上側の開口部にカバー８４を着脱することができるようにされている。排水トラップ１は、排水桝８３に取り付けられ、カバー８４と洗い場の床材８２との隙間８４ａから排水桝８３へ流入した排水を通過させる。本排水トラップ１は、捕集部材１０、取付部材（捕集部材取付部）２０、トラップ本体３０、締め付けフランジ４０、封水筒５０、等を備える。
【００１１】
トラップ本体３０は、上部が開口し、浴槽側の側壁３０ａの下部に水平方向へ突出した接続口３１が形成され、該接続口３１に対向する側壁３０ｂに水平方向へ突出した排出口３２が形成されている。接続口３１は、接続管を介して浴槽の防水パンに接続されている。トラップ本体３０内では、側壁３０ａ，３０ａの上縁部に封水面Ｓが形成される。この封水面Ｓの下側に封水筒５０の下部が差し込まれることにより、排水トラップ１は、排出口３２からの臭気や害虫等の侵入を防ぎながら浴槽の防水パン及び排水桝８３からの排水を排出口３２から送り出す。また、トラップ本体３０の上縁部には径方向内側へ延出したフランジ部３３が形成され、このフランジ部３３の内周面にねじ部３３ａが形成されている。
【００１２】
締め付けフランジ４０は、図１及び図２（ａ）に示すように、トラップ本体のねじ部３３ａと螺合するねじ部４１ａを外周面に有する円筒部４１と、この円筒部の上縁部で径方向外側へ延出した上側フランジ部４２と、円筒部４１の下縁部で径方向内側へ延出した下側フランジ部４３とを備える略環状に形成されている。円筒部４１の内周面には、９０°間隔で４箇所に上下２つの突起４１ｂが形成されている。床材のフランジ部８３ａの先端部にパッキン４４を取り付け、このパッキン４４をトラップ本体のフランジ部３３とで挟むようにして該フランジ部３３に締め付けフランジ４０を螺入すると、床材のフランジ部８３ａとトラップ本体３０とを互いに固定することができる。
【００１３】
封水筒５０は、図１及び図２（ｂ）に示すように、筒状の本体部５１と、この本体部の上縁部から径方向外側へ延出したフランジ部５２とを有する形状に形成されている。フランジ部５２の外縁部には、９０°間隔で４箇所に切欠５２ａが形成されている。各切欠５２ａを締め付けフランジの突起４１ｂに合わせて締め付けフランジ４０の開口部に封水筒の本体部５１を挿入し、封水筒のフランジ部５２を締め付けフランジの下側フランジ部４３に接触させて回転させることにより、トラップ本体３０内の所定位置に封水筒５０が固定される。ここで、封水筒５０の下端とトラップ本体３０の底面との間に隙間が設けられている。
【００１４】
本排水トラップ１は、排水から毛髪等のごみを捕集するため、図１〜図５に示す捕集部材１０と取付部材２０とを有している。
捕集部材１０は、排水を通過させながら排水中の毛髪を捕集する捕集部材本体部１２と、該捕集部材本体部１２の外縁部１３から該外縁部１３の外方向Ｄ１へ突出した把手１６とを有している。本実施形態では、図３に示すように、捕集部材本体部１２の天井部１２ａの全体、側面部１２ｂ，１２ｃの上側、及び、背面部１２ｄの上側は、排水を通過させるための孔１４ａが網目状に多数形成された通水部１４とされている。一方、捕集部材本体部１２の底面部は、孔１４ａの無い流路延長部１５とされている。把手１６は、基部１６ｂから先端部１６ａまで直線状に突出している。捕集部材１０は、捕集部材本体部１２が略かご状とされた略柄杓状に形成されている。
【００１５】
なお、外縁部１３の外方向Ｄ１は、図４及び図５（ａ）に示すように、外縁部１３に沿う仮想の平面ＰＬ１に沿った方向であって外縁部１３で囲まれた部分から外縁部１３で囲まれていない部分へ向かう方向をいうものとする。従って、把手１６は、この方向に向かって外縁部１３から突出していることになる。ここで、平面ＰＬ１に沿った方向は、平面ＰＬ１に一致する方向のみならず、図４に示すように平面ＰＬ１に一致する方向からθ1＝３０°の範囲内でずれた方向が含まれる。また、図５（ｂ）に示すように外縁部１１３全てが同一平面上とならない捕集部材１１０の場合、外縁部１１３の外方向Ｄ１は、把手１１６が突出している部分の外縁部１１３に沿う仮想の平面ＰＬ２に沿った方向をいうものとする。
【００１６】
取付部材２０は、上から流入する排水を鉛直方向Ｄ２からずれた所定の流れ方向Ｄ３へ導く流路形成部２２を有するとともに、導かれた排水を通過させる位置Ｌ１で捕集部材本体部１２を着脱可能に取り付ける。本実施形態の流れ方向Ｄ３は、図２（ｃ）や図４に示すように、水平方向から斜め下となる一方向のみとされている。取付部材２０は、下方へ凹んだ形状に形成され、上縁部近傍が締め付けフランジ円筒部４１の内側に嵌合する略円筒状の被嵌合部２６とされている。この被嵌合部２６には、９０°間隔で４箇所に締め付けフランジ円筒部４１の上側の突起４１ｂを挿入可能な貫通穴２６ａが形成され、各貫通穴２６ａから下方に向けて溝２６ｂがそれぞれ形成されている。各溝２６ｂを締め付けフランジの上側の突起４１ｂに合わせて締め付けフランジ４０の開口部に取付部材２０を挿入して回転させることにより、各貫通穴２６ａに締め付けフランジ円筒部４１の上側の各突起４１ｂを挿入した状態で排水トラップ１の所定位置に取付部材２０が固定される。
【００１７】
流路形成部２２は、傾斜部２３と側面部２４とを有している。
排水が導かれる流れ方向Ｄ３となる側面部２４には、捕集部材本体部１２を着脱可能に取り付けるための開口部２５が形成されている。本開口部２５は、捕集部材本体部１２の外形に合わせて略矩形状に形成されている。捕集部材本体部１２が開口部２５に取り付けられると、捕集部材本体部の外縁部１３から把手１６が斜め上方へ突出した状態となる。このときの把手１６の突出方向Ｄ４を図４に示している。この突出方向Ｄ４へ把手１６が突出していると排水桝８３における水平方向の大きさの制限を受けにくいので、把手１６を長くすることができる。このことから、把手の突出方向Ｄ４は、鉛直方向Ｄ２又は鉛直方向Ｄ２に近い方向が好ましく、鉛直方向Ｄ２からのずれθ2が４５°以下であることが好ましい。
【００１８】
傾斜部２３は、前記側面部に取り付けられた捕集部材本体部１２の流路延長部１５に繋がるように流れ方向Ｄ３に沿って傾斜している。従って、上から傾斜部２３上へ流れ込んだ排水は、傾斜部２３上で捕集部材本体部１２の方へ導かれ、流路延長部１５上から通水部１４へ流れる。本傾斜部２３の上流側には、排水を通過させる孔２３ａが複数形成されている。排水の一部は孔２３ａを下方へ通過するが、傾斜部２３上で排水が斜め下の流れ方向Ｄ３へ流れていくため、排水中の毛髪等は孔２３ａの近傍に引っ掛かりにくい。従って、孔２３ａが閉塞されにくく、排水トラップ１の排水能力が維持される。
また、本傾斜部２３の下流側の縁部には、一段下がった段差部２３ｂが形成されている。これにより、開口部２５に捕集部材本体部１２が取り付けられると、傾斜部２３の上面と流路延長部１５の上面とが略面一となり、排水が傾斜部２３上から流路延長部１５上へ円滑に流れる。
【００１９】
また、図４に示すように、開口部２５に取り付けられた捕集部材本体部１２の外縁部１３に沿う仮想の平面ＰＬ１は、鉛直方向Ｄ２から斜めに傾いている。すなわち、取付部材２０は、捕集部材本体部の外縁部１３を鉛直方向から斜めに傾いた方向へ向けて該捕集部材本体部１２を着脱可能に取り付けている。ここで、外縁部１３に沿う平面ＰＬ１は、鉛直方向Ｄ２又は鉛直方向Ｄ２に近い方向へ向いていることが好ましく、鉛直方向Ｄ２からのずれθ3が４５°以下となる方向へ向いていることが好ましい。
一方、傾斜部２３の傾き、すなわち、流れ方向Ｄ１の傾きは、外縁部に沿う平面ＰＬ１と直交する向き又は直交する向きに近い向きが好ましく、水平方向からのずれθ4が４５°以下となる向きが好ましい。
【００２０】
なお、排水トラップ１を構成する各部材１０，２０，３０，４０，５０は、熱可塑性樹脂といった樹脂成形材料、ステンレスといった金属、等、種々の材質とすることができ、樹脂成形材料や金属の成形品等を用いることができる。
【００２１】
以上の構成を有する排水トラップ１は、例えば、床材フランジ部８３ａの先端部にパッキン４４を取り付け、トラップ本体のフランジ部３３に締め付けフランジ４０を螺入して床材フランジ部８３ａとトラップ本体３０とを互いに固定し、封水筒５０を締め付けフランジ４０に取り付け、取付部材２０を締め付けフランジ４０に取り付け、取付部材の開口部２５に捕集部材本体部１２を取り付けることにより、形成される。むろん、捕集部材本体部１２を取り付けた取付部材２０を締め付けフランジ４０に取り付けて排水トラップ１を形成してもよい。図１に示すように把手１６は排水桝８３内で斜め上方へ突出しているので、排水桝８３にカバー８４をすることができる。
【００２２】
（２）排水トラップの作用、効果：
次に、本排水トラップの作用、効果を説明する。
排水桝８３に流入した排水は、取付部材２０に向かって下方へ流れ、傾斜部２３上で鉛直方向Ｄ２からずれた流れ方向Ｄ３へ流れの向きを変え、捕集部材本体部１２の方へ導かれて、通水部１４を通過する。通水部１４には孔１４ａが多数形成されているので、排水中の毛髪等は、通水部１４で捕集され、捕集部材本体部１２内に滞留する。
【００２３】
ここで、捕集部材本体部の背面部１２ｄが鉛直方向Ｄ２から斜めに傾いた方向へ向き、排水が流れ方向Ｄ３へ一方向に流れるので、通水部１４いっぱいに毛髪等が広がりにくく、通水部１４が閉塞されにくい。なお、図１０（ｃ）で示したヘアキャッチャー９２０は、排水が３６０°全ての方向から流入して略円錐状部９２２を下方へ通過していくため、通水部９２３の全てに毛髪等が付着して排水流路が閉塞することがあると考えられる。
また、排水が流入しなくなり、通水部１４が乾燥してくると、図４に示すように、通水部１４に付着した毛髪等のごみＷ１が捕集部材本体部１２内で重力により落下する。
以上より、通水部１４の目詰まりが抑止される。
【００２４】
捕集部材本体部１２に滞留した毛髪等を除去する際には、排水桝８３からカバー８４を外し、把手１６を手で持って捕集部材本体部１２を取付部材２０から外して、捕集部材本体部１２内の毛髪等を捨てる操作をすることになる。捕集部材本体部の外縁部１３から斜め上方へ突出した把手１６は、排水桝８３における水平方向の大きさの制限を受けにくいため、長くされている。従って、捕集部材本体部１２を取り出し易く、捕集部材本体部１２を裏返し易い。なお、図１０（ｃ）で示したヘアキャッチャー９２０は、取っ手９２６の水平方向Ｄ９３の長さが短いため、ヘアキャッチャー９２０を取り出しにくく、ヘアキャッチャー９２０を裏返す操作をしにくい。
【００２５】
また、図１０（ｂ）で示した従来のヘアキャッチャー９１０は取っ手を横向きにしても毛髪等が落下しないが、本捕集部材１０は、図６に示すように、手で把手１６を横向きにして捕集部材本体部１２の開口部１２ｅを下に向けると捕集部材本体部１２内の毛髪等が落下する。むろん、把手１６が捕集部材本体部の外縁部１３から該外縁部の外方向Ｄ１へ突出しているので、捕集部材本体部１２に溜まった毛髪等が手に落下しない。従って、不快感無く毛髪等を捨てることができる。
以上より、本発明によると、排水トラップの捕集部材に溜まった毛髪等を不快感無く捨てることができるとともに、捕集部材のお手入れを容易にさせ、毛髪等を捨て易くすることが可能となる。
【００２６】
また、取付部材の側面部２４に取り付けられた捕集部材本体部１２に繋がるように傾斜部２３が設けられているので、取付部材２０に流入した排水が効率よく捕集部材本体部１２の方へ導かれ、排水中の毛髪等がより効率よく捕集される。
さらに、捕集部材本体部１２が外縁部１３を鉛直方向から斜めに傾いた方向へ向けて取付部材の開口部２５に取り付けられるので、取付部材２０に対して捕集部材本体部１２を着脱し易い。また、排水が流入しなくなると、捕集した毛髪等が捕集部材本体部１２内で重力により落下する。従って、捕集部材本体部１２の目詰まりを抑止することができる。
【００２７】
なお、排水トラップに設けられるヘアキャッチャーであって、
排水を通過させながら排水中の毛髪を捕集する捕集部材本体部と、該捕集部材本体部の外縁部から該外縁部の外方向へ突出した把手と、を有する捕集部材１０と、
上から流入する排水を鉛直方向からずれた所定方向へ導くとともに、導かれた排水を通過させる位置で前記捕集部材本体部を着脱可能に取り付ける取付部材２０とを備え、
前記捕集部材本体部の外縁部から前記把手を上方又は斜め上方へ突出させて前記捕集部材本体部が前記取付部材に取り付けられるようなヘアキャッチャーも、上述した作用、効果を奏する。また、汎用の締め付けフランジに取付部材を取り付け可能としておけば、種々の排水トラップに本ヘアキャッチャーを設けることができ、ヘアキャッチャーの従来品を本ヘアキャッチャーに交換することが容易となる。
【００２８】
（３）変形例：
本発明の排水トラップは、種々の変形例が考えられる。
上記捕集部材本体部は、天井部１２ａ、側面部１２ｂ，１２ｃ、背面部１２ｄ及び底面部の各面に分けられる略かご状とされる以外にも、天井部、背面部及び底面部が全体として丸く曲げられた略かご状等とされてもよい。
また、上記捕集部材本体部は、全体に孔が形成され、全体が通水部とされてもよい。さらに、繊維や針金等を編んで形成した網で通水部を構成してもよい。むろん、捕集部材本体部の一部又は全体に形成したスリット等で通水部を構成してもよい。図５（ｂ）に示す捕集部材１１０は、捕集部材本体部１１２の略全体にスリット１１４ａを形成している。
【００２９】
同図（ｂ）に示す捕集部材本体部１１２は、把手１１６の突出方向に沿った上側本体部１１２ａと、該上側本体部の下縁部から「く」字状に折れ曲がって延出した下側本体部１１２ｂとを有する熊手状に形成されている。このような捕集部材本体部１１２であっても、取付部材（例えば側面部の開口部）に取り付けられて使用されると、排水中の毛髪等を捕集することができ、取付部材から捕集部材本体部１１２を外して把手１１６を横向きにして裏返すことにより、毛髪等を不快感無く容易に捨てることができる。
【００３０】
図７は、排水トラップの変形例において捕集部材１０を取り付けた取付部材１２０の垂直断面を示している。本変形例の取付部材１２０は、捕集部材本体部１２の外縁部１３を鉛直方向Ｄ２へ向け外縁部１３から把手１６を上方へ突出させて捕集部材本体部１２を着脱可能に取り付けている。取付部材１２０は、排水が導かれる所定の流れ方向Ｄ３にある側面部１２４の開口部１２５に捕集部材本体部１２を着脱可能に取り付けるとともに、開口部１２５に取り付けられた捕集部材本体部１２に繋がるように流れ方向Ｄ３に沿った誘導部１２３が設けられている。誘導部１２３は、上流側が流れ方向Ｄ３に沿って傾斜する一方、下流側が略水平とされている。
捕集部材本体部の外縁部１３から上方へ把手１６が突出していると、排水桝における水平方向の大きさの制限を受けずに把手１２を長くすることができる。従って、毛髪等を不快感無く捨てることができるとともに、捕集部材のお手入れを容易にさせ、毛髪等を捨て易くすることが可能となる。
【００３１】
図８は、変形例に係る捕集部材２１０を上から見て示している。本捕集部材２１０の把手２１６は、捕集部材本体部２１２の外縁部２１３から該外縁部の外方向へ突出している。この把手２１６の裏面２１６ａの形状は、円弧状とされている。すると、捕集部材本体部２１２の上に存在する取付部材の上で把手２１６の背後から傾斜部へ向かう排水に含まれる毛髪等が把手２１６に絡まないようにすることができる。
【００３２】
図９は、変形例に係る排水トラップ３００の垂直断面を示している。本排水トラップ１は、捕集部材１０、トラップ本体３０、締め付けフランジ４０とともに、捕集部材取付部３２０を一体化した封水筒３６０を備えている。封水筒３６０は、図１に示す封水筒５０に相当する筒部３５０と、図１に示す取付部材２０に相当する捕集部材取付部３２０とが一体化されて形成されている。捕集部材取付部３２０は、上から流入する排水を鉛直方向Ｄ２からずれた所定の流れ方向Ｄ３へ導くとともに、導かれた排水を通過させる位置Ｌ１で捕集部材本体部１２を着脱可能に取り付ける。捕集部材取付部３２０は、下方へ凹んだ形状に形成され、上縁部近傍が締め付けフランジ円筒部４１の内側に嵌合する略円筒状の被嵌合部３２６とされている。捕集部材取付部３２０と一体化された筒部３５０は、被嵌合部３２６が締め付けフランジ円筒部４１と嵌合すると、トラップ本体３０内の所定位置に固定される。
【００３３】
排水桝８３から捕集部材取付部３２０に流入した排水は、鉛直方向からずれた流れ方向Ｄ３へ導かれ、捕集部材本体部１２を通過して、筒部３５０内を流れる。捕集部材本体部１２に滞留した毛髪等を除去する際には、捕集部材取付部３２０から捕集部材１０を取り出し、図６で示したように長い把手１６を横向きにして捕集部材本体部１２を裏返す操作をすればよい。このように、本変形例でも、毛髪等を不快感無く捨てることができるとともに、捕集部材のお手入れを容易にさせ、毛髪等を捨て易くすることが可能となる。
【００３４】
なお、捕集部材取付部内で導かれる排水の流れ方向を２方向以上設定する場合、それぞれの流れ方向へ導かれた排水を捕集部材本体部に通すように複数の捕集部材を捕集部材取付部に取り付けてもよい。
また、捕集部材取付部に形成される捕集部材本体部の取付部位は、上述した開口部２５以外にも、切欠等でもよい。
【００３５】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００３６】
【図１】排水トラップの一例を示す垂直断面図。
【図２】締め付けフランジ、封水筒及び取付部材の上面を示す平面図。
【図３】捕集部材及び取付部材の外観を示す分解斜視図。
【図４】捕集部材を取り付けていない取付部材及び捕集部材を取り付けた取付部材の垂直断面図。
【図５】捕集部材本体部の外縁部の外方向を説明するための図。
【図６】捕集部材を取り出して捕集部材本体部を裏返した様子を示す側面図。
【図７】変形例において捕集部材を取り付けた取付部材の垂直断面図。
【図８】変形例に係る捕集部材を上から見て示す平面図。
【図９】排水トラップの変形例を示す垂直断面図。
【図１０】排水トラップの従来例を示す垂直断面図。
【符号の説明】
【００３７】
１，３００…排水トラップ、
１０，１１０，２１０…捕集部材、
１２…捕集部材本体部、１３…外縁部、１４…通水部、１４ａ…孔、１５…流路延長部、
１６…把手、先端部１６ａ、基部…１６ｂ、
２０，１２０…取付部材（捕集部材取付部）、
２２…流路形成部、２３…傾斜部、２３ａ…孔、２３ｂ…段差部、
２４…側面部、２５…開口部、
３０…トラップ本体、４０…締め付けフランジ、４４…パッキン、
５０，３６０…封水筒、
８２…床材、８３…排水桝、８４…カバー、
３２０…捕集部材取付部、
Ｄ１…外縁部の外方向、Ｄ２…鉛直方向、Ｄ３…流れ方向、Ｄ４…突出方向、
Ｌ１…通過位置、
【図１】
0005052998.tif 000002
【図２】
0005052998.tif 000003
【図３】
0005052998.tif 000004
【図４】
0005052998.tif 000005
【図５】
0005052998.tif 000006
【図６】
0005052998.tif 000007
【図７】
0005052998.tif 000008
【図８】
0005052998.tif 000009
【図９】
0005052998.tif 000010
【図１０】
0005052998.tif 000011